(57)【特許請求の範囲】
【請求項１】
（Ａ）成分として第四級アンモニウム塩型界面活性剤、
（Ｂ）成分としてｐＨ調整剤、
（Ｃ）成分として非イオン界面活性剤、両性界面活性剤より選ばれた少なくとも一種、
（Ｄ）成分として水、
（Ｅ）成分として多価アルコール、
を含有し、（Ａ）成分と（Ｂ）成分の質量比が、（Ａ）／（Ｂ）の値で０．００２以上、１００以下であり、（Ａ）成分と（Ｅ）成分の質量比が、（Ａ）／（Ｅ）の値で０．００１以上、１以下であり、２５℃におけるｐＨが８．１以上、１２．０以下であることを特徴とする皮膚用液体洗浄剤組成物。
【請求項２】
（Ａ）成分が、アルキルジメチルベンジルアンモニウム塩と、アルキルトリメチルアンモニウム塩、アルキルピリジニウム塩、ベンゼトニウム塩より選ばれた少なくとも１種と、を含有することを特徴とする請求項１に記載の皮膚用液体洗浄剤組成物。
【請求項３】
（Ｃ）成分が、ポリオキシアルキレンアルキルエーテル、アルキルポリグルコシドを含むアルキルグルコシド、アルキルベタイン型両性界面活性剤、アルキルイミダゾリニウムベタイン型両性界面活性剤、アミノプロピオン酸型両性界面活性剤、アルキルジメチルアミンオキシドより選ばれた少なくとも一種を含有する請求項１又は２に記載の皮膚用液体洗浄剤組成物。
【請求項４】
（Ｃ）成分として、前記アルキルグルコシド、前記アルキルジメチルアミンオキシドのいずれかを少なくとも含有する請求項３に記載の皮膚用液体洗浄剤組成物。
【請求項５】
（Ｅ）成分として、エチレングリコール、ポリエチレングリコール、プロピレングリコール、ブチレングリコール、１，５−ペンタンジオール、ヘキシレングリコール、グリセリン、ソルビトールのいずれかを少なくとも含有する請求項１から４のいずれか一項に記載の皮膚用液体洗浄剤組成物。
【請求項６】
前記皮膚用液体洗浄剤組成物において、（Ａ）成分が０．０８質量％以上１．０質量％以下の範囲で含まれ、かつ（Ｅ）成分が、０．１質量％以上１０．０質量％以下の範囲で含まれる請求項１から５のいずれか一項に記載の皮膚用液体洗浄剤組成物。
【請求項７】
組成物の２５℃におけるｐＨが８．１以上、１１未満であることを特徴とする請求項１から６のいずれか一項に記載の皮膚用液体洗浄剤組成物。
【請求項８】
前記洗浄剤組成物が、手指用液体洗浄剤である請求項１から７のいずれか一項に記載の液体洗浄剤組成物。
【請求項９】
前記洗浄剤組成物が、アルコール系溶剤を含む請求項１から８のいずれか一項に記載の皮膚用液体洗浄剤組成物。
【発明の詳細な説明】
【技術分野】
【０００１】
本発明は、主に手指の洗浄用として使用することができる洗浄剤組成物であって、更に詳しくは、洗浄性、殺菌効果、ウイルス不活化効果に優れ、皮膚刺激性の少ない洗浄剤組成物に関する。
【背景技術】
【０００２】
食肉、魚介の加工やレストランの調理場等、食品関連業界における従業員や、病院、保健所等の医師、看護婦、介護人、患者等の手指の洗浄・殺菌については、従来より様々な方法がとられている。最も一般的な方法は、まず手指用の洗浄剤で手指をよく洗浄した後に、手指の消毒薬への浸漬あるいは噴霧等の殺菌処理を経るという方法である。これらの方法は、その洗浄、殺菌マニュアルどおりに忠実に行われた場合には、効果的な方法であるといえる。しかし、手指の洗浄が不十分であった場合は、その後の殺菌処理による殺菌力が極端に低下する問題点があり、食中毒の原因となる微生物を現場に持ち込む場合がある。
【０００３】
また近年、食中毒発生状況においてノロウイルスによる食中毒の発生件数及び患者数が増加しており、その感染力の高さからも大きな問題となっている。ノロウイルスによる食中毒の原因はカキなどの二枚貝を喫食する要因だけでなく、ヒトの糞便、嘔吐物、他の食品等に接触することによる二次感染も大きな要因である。
【０００４】
食中毒菌の持ち込みやノロウイルスによる二次汚染を防ぐためには、手洗いの徹底が求められ、食品製造従事者や調理担当者が現場に微生物及びウイルスを持ち込まないことが重要である。このため、手指用の洗浄剤は殺菌効果を有するだけでなく、ウイルス不活化効果が求められている。
【０００５】
従来の手指洗浄の用途として使用される洗浄剤としては、脂肪酸、両性界面活性剤、キレート剤を含有し、ｐＨが９．５〜１１である液体洗浄剤組成物（下記引用文献１）、アルキルジメチルベンジルアンモニウム塩型陽イオン界面活性剤、ポリオキシアルキレンアルキルエーテル型非イオン界面活性剤、アルキルアミンオキシド、脂肪酸アルカノールアミド及びアルキルポリグルコシドから選ばれる少なくとも一種の非イオン界面活性剤を含有する手指用殺菌洗浄剤組成物（下記引用文献２）、アルキルグルコシド、塩化ジメチルジアリルアンモニウム・アクリルアミド共重合体、前記２成分以外の界面活性剤を含有する身体洗浄剤組成物（下記引用文献３）が挙げられる。また、ウイルス対策の技術として、第四級アンモニウム塩型界面活性剤、無機電解質及び／又はクエン酸塩、アルカリ剤を含み、ｐＨを８．１以上、１２以下とした水性除菌剤を基材シートに含浸した除菌用シート（引用文献４）が挙げられる。
【先行技術文献】
【特許文献】
【０００６】
【特許文献１】ＷＯ２０１３／１４１１１８
【特許文献２】特開２００４−２２４７０３号公報
【特許文献３】特開２０１７−１９０３０７号公報
【特許文献４】特開２０１８−２７９１６号公報
【発明の概要】
【発明が解決しようとする課題】
【０００７】
特許文献１に記載の洗浄剤組成物は、ｐＨがアルカリ性域であるため一定の洗浄力は得られるが、殺菌効果が充分ではなく、ウイルス不活化効果も得られなかった。引用文献２及び３は、ｐＨが中性域であるため洗浄力について十分ではなく、ウイルス不活化効果も得られなかった。引用文献４の除菌用シートは医療現場等でヒトの皮膚表面を除く表面消毒、機器消毒、トイレやベッドなどの消毒・除ウイルスに好適に使用されるが、皮膚への刺激性が強く作業者は手袋を装着してシートを使用していた。
【０００８】
本発明は上記課題を鑑みなされたものである。即ち、本発明は、洗浄性、殺菌効果、ウイルス不活化効果に優れ、皮膚への刺激性の少ない液体洗浄剤組成物を提供することを目的とする。
【課題を解決するための手段】
【０００９】
上記課題を解決するために、本発明者等は鋭意検討した結果、（Ａ）成分として第四級アンモニウム塩型界面活性剤、（Ｂ）成分としてｐＨ調整剤、（Ｃ）成分として非イオン界面活性剤、両性界面活性剤より選ばれた少なくとも一種を配合し、（Ｅ）成分として多価アルコールを配合し、更に（Ａ）成分と（Ｃ）成分を特定範囲の比率とするとともに（Ａ）成分と（Ｅ）成分を特定範囲の比率とし、２５℃におけるｐＨを８．１以上、１２．０以下とした組成物が、優れた洗浄性、殺菌効果、ウイルス不活化効果、皮膚への低刺激性を有することを見出し、本発明を完成するに至った。
【００１０】
即ち、本発明の皮膚用液体洗浄剤組成物は、（Ａ）成分として第四級アンモニウム塩型界面活性剤、（Ｂ）成分としてｐＨ調整剤、（Ｃ）成分として非イオン界面活性剤、両性界面活性剤より選ばれた少なくとも一種、（Ｄ）成分として水、（Ｅ）成分として多価アルコール、を含有し、（Ａ）成分と（Ｂ）成分の質量比が、（Ａ）／（Ｂ）の値で０．００２以上、１００以下であり、（Ａ）成分と（Ｅ）成分の質量比が、（Ａ）／（Ｅ）の値で０．００１以上、１以下であり、２５℃におけるｐＨが８．１以上、１２．０以下であることを特徴とする。
【発明の効果】
【００１１】
本発明の液体洗浄剤組成物は、皮膚などの被洗浄面に付着した汚れに対する洗浄性に優れ、一般細菌及びカチオン界面活性剤に耐性を有する細菌に対する殺菌効果、ウイルス不活化効果にも優れる。加えて、泡立ち、手洗い時のすすぎ性も良い。
また本発明の液体洗浄剤組成物は、アルカリ性であるにも関わらず、皮膚に対する刺激性が少ない。そのため、手指用に用いた場合であっても使用感も良好であり、皮膚への直接の使用が許容される。
【発明を実施するための形態】
【００１２】
本発明の液体洗浄剤組成物は、（Ａ）成分として第四級アンモニウム塩型界面活性剤、（Ｂ）成分としてｐＨ調整剤、（Ｃ）成分として非イオン界面活性剤、両性界面活性剤より選ばれた少なくとも一種、（Ｄ）成分として水、を含有する。上記（Ａ）成分と上記（Ｂ）成分の質量比は、（Ａ）／（Ｂ）の値で０．００２以上、１００以下となるよう調整される。また本発明の液体洗浄剤組成物は、２５℃におけるｐＨが８．１以上、１２．０以下である。
【００１３】
かかる構成を備える本発明の液体洗浄剤組成物は、洗浄性、殺菌性およびウイルス不活化に優れる上、皮膚への刺激性が小さい。かかる効果は、殺菌性およびウイルス不活化に優れる成分として（Ａ）成分を含有させるとともに、皮膚への刺激性を考慮した界面活性剤である（Ｃ）成分を含有し、かつ（Ｂ）成分でｐＨを８．１以上、１２．０以下に調整することで、洗浄性等と効能と皮膚への刺激性とのバランスを図り、これによって実現可能となった。本発明は、上記（Ａ）成分と上記（Ｂ）成分の質量比を所定範囲に調整することで、（Ａ）成分の比率を適度に抑え、皮膚刺激性に配慮しつつ、良好なウイルス不活化を達成する。
【００１４】
本発明の液体洗浄剤組成物の用途は特に限定されず、たとえば、食肉もしくは魚介の加工現場、レストランの調理場などの食品関連業界、病院、または保健所等の洗浄・殺菌に幅広く用いられる。また使用方法も特に限定されず、直接に手指を殺菌洗浄するための洗浄剤、拭き取りシートなどに浸みこませるための洗浄剤、または被洗浄物に対しスプレー塗布されるための洗浄剤などとして用いることができる。
【００１５】
とりわけ本発明は、上述するとおり良好な洗浄性、殺菌性およびウイルス不活化を発揮しつつも皮膚に対する刺激性が小さいため、手や指に直接用いる手指用の洗浄剤として優れた効果を発揮する。
以下に、本発明の液体洗浄剤の構成について詳細に説明する。
【００１６】
本発明の液体洗浄剤組成物は、（Ａ）成分として第四級アンモニウム塩型界面活性剤を含む。
（Ａ）成分である第４級アンモニウム塩型界面活性剤は、分子式ＮＲ４＋とＣｌ−などのアニオンとの塩の構成を備えるカチオン系界面活性剤である。上記Ｒは任意のアルキル基であって、４つのアルキル基（Ｒ）は、特に限定されない。たとえば、（Ａ）成分として、ジアルキルジメチルアンモニウム塩、アルキルトリメチルアンモニウム塩、アルキルジメチルエチルアンモニウム塩、ジアルキルエチルメチルアンモニウム塩、ジアルキルモノメチルハイドロキシアンモニウム塩、アルキルジメチルハイドロキシエチルアンモニウム塩、アルキルジメチルベンジルアンモニウム塩、アルキルジポリオキシエチレンメチルアンモニウム塩、アルキルピリジニウム塩及びベンゼトニウム塩等を挙げることができる。
中でも（Ａ）成分として、ジアルキルジメチルアンモニウム塩、アルキルトリメチルアンモニウム塩、アルキルピリジニウム塩、アルキルジメチルベンジルアンモニウム塩、またはベンゼトニウム塩が好ましく、特にアルキルジメチルベンジルアンモニウム塩、アルキルトリメチルアンモニウム塩、アルキルピリジニウム塩、またはベンゼトニウム塩がより好ましい。
さらには、殺菌性およびウイルス不活化効果のいずれにおいても特に優れるという観点から、アルキルジメチルベンジルアンモニウム塩と、アルキルトリメチルアンモニウム塩、アルキルピリジニウム塩、ベンゼトニウム塩より選ばれた少なくとも１種と、を組み合わせることが特に好ましい。
上記アルキル基（Ｒ）は、炭素数４以上、２２以下であることが好ましく、炭素数６以上、１８以下であることがより好ましく、炭素数１２以上、１６以下であることがさらに好ましい。上記アルキル基（Ｒ）は、直鎖であってもよいし、分枝鎖を有していてもよいが、例えばアルキル基（Ｒ）は、炭素数６以上、１８以下の直鎖であることが好ましい。
【００１７】
（Ａ）成分は、本発明の液体洗浄剤組成物における殺菌性およびウイルス不活化に寄与する。したがって、（Ａ）成分の配合量が少なすぎると液体洗浄剤組成物の殺菌性またはウイルス不活化効果が十分でない場合がある。一方、（Ａ）成分の配合量が多すぎる場合には、液体洗浄剤組成物の皮膚刺激性が強くなる場合があり、またすすぎ性や貯蔵安定性においても望ましくない影響を与える可能性がある。
かかる観点からは、（Ａ）成分の液体洗浄剤組成物中の割合は、０．０１質量％以上５．０質量％以下であることが好ましく、０．０５質量％以上２．０質量％以下であることがより好ましく、０．０８質量％以上１．０質量％以下であることが特に好ましい。さらに、液体洗浄剤組成物中において、皮膚刺激性をより小さく抑え、手指用に優れた洗浄剤を提供するという観点からは、後述する（Ｅ）成分の含有量が０．８質量％未満、あるいは、０．５質量％以下、さらには実質的にゼロの場合、（Ａ）成分として第四級アンモニウム塩型界面活性剤を０．４質量％以下含有することが好ましい。
【００１８】
ここで、ウイルスとは、エンベロープを有するウイルスであるエンベロープウイルス、及びエンベロープを有さないウイルスであるノンエンベロープウイルスを含む。
【００１９】
エンベロープを有するウイルスとしては、ヒトヘルペスウイルス、ワクシニアウイルス、インフルエンザウイルス、ＳＡＲＳコロナウイルス、ＭＥＲＳコロナウイルス、ＳＡＲＳ−ＣｏＶ−２、ＲＳウイルス、ムンプスウイルス、ラッサウイルス、デングウイルス、風疹ウイルス、ヒト免疫不全ウイルス、麻疹ウイルス、Ｂ型肝炎ウイルス、Ｃ型肝炎ウイルス、エボラウイルス、黄熱ウイルス、及び日本脳炎ウイルス等が挙げられるが、これらに限定されない。
【００２０】
エンベロープを有さないウイルスとしては、ノロウイルス、ポリオウイルス、エコーウイルス、ライノウイルス、アストロウイルス、ロタウイルス、コクサッキーウイルス、エンテロウイルス、サポウイルス、アデノウイルス、Ｂ１９ウイルス、パポバウイルス、ヒトパピローマウイルス、Ａ型肝炎ウイルス、及びＥ型肝炎ウイルス等が挙げられるが、これらに限定されない。
【００２１】
本発明の液体洗浄剤組成物は、（Ａ）成分の配合量を適度な範囲に調整し皮膚刺激性を小さく抑えつつ、良好な殺菌性およびウイルス不活化効果を発揮する。（Ａ）成分の配合は、（Ａ）成分の配合量（質量％）とともに、（Ａ）成分と（Ｂ）成分の質量比を所定範囲に調整することで決定するとよい。
【００２２】
（Ｂ）成分は、本発明の液体洗浄剤組成物のｐＨを調整するためのｐＨ調整剤である。本発明の液体洗浄剤組成物は、他の組成の配合量を考慮しつつ、（Ｂ）成分によってｐＨが８．１以上、１２．０以下の範囲で調整される。一般的なアルカリ性の洗浄剤は、皮膚への刺激が強く、手指への直接の使用が回避されるが、本発明は、アルカリ性でありながら、（Ａ）成分および（Ｃ）成分の配合により、皮膚への刺激性を抑えつつ高い洗浄力、殺菌力およびウイルス不活化効果（以下、これらを洗浄性等ともいう）を発揮可能である。
【００２３】
上記ｐＨは、より十分な洗浄性カチオン耐性菌に対する殺菌力の発揮という観点からは、９以上であることが好ましく、９．５以上であることがより好ましい。また、上記ｐＨは、より皮膚刺激性の少ない洗浄剤を提供するという観点からは、１１．５以下であることが好ましく、１１以下であることがより好ましく、１１未満であることが特に好ましい。
【００２４】
上記ｐＨ調整剤としては、本発明の趣旨を逸脱することなく液体洗浄剤組成物のｐＨを調整可能な化合物から選択することができる。たとえばｐＨ調整剤としては、アルカリ金属水酸化物、アルカリ金属珪酸塩、アルカノールアミン、アルカリ金属炭酸塩、アルカリ金属リン酸塩、および有機酸塩から選択されるいずれか一種または組合せを挙げることができる。
アルカリ金属水酸化物としては、たとえば水酸化ナトリウム、水酸化カリウム等が挙げられる。
アルカリ金属珪酸塩としては、たとえばオルソ珪酸ナトリウム、オルソ珪酸カリウム、メタ珪酸ナトリウム、メタ珪酸カリウム、１号珪酸ナトリウム、２号珪酸ナトリウム、３号珪酸ナトリウム、Ａ珪酸カリウム、Ｂ珪酸カリウム、またはＣ珪酸カリウム等が挙げられる。
アルカノールアミンとしては、モノエタノールアミン、ジエタノールアミン、またはトリエタノールアミン等が挙げられる。
アルカリ金属炭酸塩としては、炭酸ナトリウム、炭酸カリウム、炭酸水素ナトリウム、炭酸水素カリウム、セスキ炭酸ナトリウム、セスキ炭酸カリウム、過炭酸ナトリウム、または過炭酸カリウム等が挙げられる。
アルカリ金属リン酸塩としては、リン酸ナトリウム、リン酸カリウム、リン酸二水素ナトリウム、リン酸二水素カリウム、リン酸水素二ナトリウム、またはリン酸水素二カリウム等が挙げられる。
有機酸塩としては、クエン酸ナトリウム、クエン酸カリウム、クエン酸三ナトリウム、クエン酸三カリウム、グルコン酸ナトリウム、グルコン酸カリウム、乳酸ナトリウム、乳酸カリウム、酢酸ナトリウム、酢酸カリウム等が挙げられる。
【００２５】
洗浄性の観点から（Ｂ）成分としてアルカリ金属水酸化物またはアルカノールアミンが好ましく用いられる。
また、有機汚れが付加された被洗浄物に対する良好なウイルス不活化の観点から、アルカリ金属水酸化物及び／またはアルカノールアミンと、アルカリ金属炭酸塩、アルカリ金属リン酸塩、および有機酸塩より選ばれた少なくとも一種とを組み合わせて用いることが好ましい。これは炭酸塩、リン酸塩あるいは有機酸塩の緩衝作用により、汚れが付加されている場合でもｐＨの低下が抑制され、優れたウイルス不活化効果が発揮されるものと推察される。
【００２６】
（Ｂ）成分であるｐＨ調整剤の含有量は、液体洗浄剤組成物のｐＨを所望の値に調整可能な範囲で適宜決定することができる。良好な洗浄性を示しつつ、手指に直接利用しても皮膚刺激性の問題がなく、また液体洗浄剤組成物の貯蔵安定性を保持するという観点からは、（Ｂ）成分の洗浄剤組成物中の割合は、０．０５質量％以上５．０質量％以下であることが好ましく、０．１質量％以上３．０質量％以下であることがより好ましく、０．３質量％以上２．５質量％以下であることが特に好ましい。
【００２７】
ところで有機質などの汚れが付着した被洗浄物に対し、一般的な液体洗浄剤組成物を接触させると、当該液体洗浄剤組成物のｐＨが大きく低下する場合がある。その結果、洗浄性等が低下し、被洗浄物が十分に洗浄および殺菌されない。そして汚れの落ち切れていない被洗浄物に対し消毒液などを噴霧して殺菌処理を行っても十分な殺菌がなされないという問題がある。
これに対し、本発明の液体洗浄剤組成物は、（Ｂ）成分であるｐＨ調整剤によりｐＨが所定の範囲に調整されているので、有機質汚れに接触した場合であっても、アルカリ性を維持し易く、その結果、高い洗浄性等が維持され易い。
弱塩基である炭酸水素ナトリウムや炭酸水素カリウム、リン酸二水素ナトリウム、リン酸二水素カリウム、リン酸水素二ナトリウム、リン酸水素二カリウム、クエン酸三ナトリウム、クエン酸三カリウムなどは、緩衝作用により汚れと接触した場合であっても液体洗浄剤組成物のｐＨの低下を抑えて高い洗浄性等を維持することができ、有機質の汚れが付着した被洗浄物に対するウイルス不活化効果を良好に発揮可能である。
【００２８】
本発明において、上述する（Ａ）成分と（Ｂ）成分の質量比は、（Ａ）／（Ｂ）の値で０．００２以上、１００以下となるよう調整される。かかる範囲に調整されることで、本発明の液体洗浄剤組成物は、皮膚刺激性を抑えつつ、良好な洗浄性、殺菌性およびウイルス不活化効果を発揮可能である。
皮膚刺激性を抑えつつ、より高い殺菌性、およびウイルス不活化効果を発揮させるという観点からは、上記（Ａ）／（Ｂ）の下限は、０．０１以上であることが好ましく、０．０５以上であることがより好ましい。また皮膚刺激性を抑えつつ、より高い洗浄性を発揮させるという観点からは、上記（Ａ）／（Ｂ）の上限は、１０．０以下であることが好ましく、１．０以下であることがより好ましく、０．６以下であることがさらに好ましい。
【００２９】
本発明の液体洗浄剤組成物は、（Ｃ）成分として非イオン界面活性剤、両性界面活性剤より選ばれた少なくとも一種を含む。これらの界面活性剤は、皮膚への刺激を抑えつつ良好な洗浄性を実現することに貢献し、また液体洗浄剤組成物の良好な泡立ちにも寄与する。
【００３０】
上記（Ｃ）成分である非イオン界面活性剤としては、脂肪族アルカノールアミド、ポリオキシアルキレンアルキルエーテル、ポリオキシエチレン脂肪酸エステル、ポリオキシエチレンポリオキシプロピレングリコール、ショ糖脂肪酸エステル、モノグリセリン脂肪酸エステル、ポリグリセリン脂肪酸エステル、ソルビタン脂肪酸エステル、ソルビタン脂肪酸エステルのアルキレンオキサイド付加物、またはアルキルグルコシド等が例示される。
上記アルキル基の炭素数は、特に限定されないが、６以上１４以下であることが好ましく、より具体的には、オクチルグルコシド、デシルグルコシド、またはラウリルグルコシドなどが挙げられる。
【００３１】
上記（Ｃ）成分である両性界面活性剤としては、ベタイン型両性界面活性剤、アミノ酸型両性界面活性剤、アミンオキシド型両性界面活性剤などが挙げられる。
【００３２】
本発明に関しベタイン型両性界面活性剤とは、ベタインを分子構造内に有し、これによって両親媒性を示す界面活性剤とのことをいう。ここでベタインとは、正電荷と負電荷を同一分子内の隣り合わない位置に有する分子内塩を指す。
上記ベタイン型両性界面活性剤には、アルキルベタイン型両性界面活性剤、アルキルイミダゾリニウムベタイン型両性界面活性剤、脂肪酸アミドプロピルベタイン型両性界面活性剤、グリシン型両性界面活性剤を含む。
【００３３】
上記アルキルベタイン型両性界面活性剤の例としては、アルキルカルボベタイン、アルキルスルホベタイン、アルキルヒドロキシスルホベタイン、アルキルアミドカルボベタイン、アルキルアミドスルホベタイン、アルキルアミドヒドロキシスルホベタイン、アルキルジメチルベタイン、アルキルジエチルベタイン、アルキルヒドロキシエチルベタイン、アルキルアミドプロピルジメチルアミノ酢酸ベタインなどが挙げられる。上記アルキル基の炭素数は、特に限定されないが、８以上１８以下であることが好ましく、より具体的には、ラウリルジヒドロキシエチルベタインまたはラウリルアミドプロピルジメチルアミノ酢酸ベタインなどが挙げられる。
上記アルキルイミダゾリニウムベタイン型両性界面活性剤の例としては、２−アルキル−Ｎ−カルボキシエチル−Ｎ−ヒドロキシエチルイミダゾリニウムベタインなどが挙げられる。上記アルキル基の炭素数は、特に限定されないが、８以上１８以下であることが好ましい。
上記脂肪酸アミドプロピルベタイン型両性界面活性剤の例としては、ヤシ油脂肪酸アミドプロピルベタイン、パーム油脂肪酸アミドプロピルベタイン、ラウリン酸アミドプロピルベタイン及びリシノレイン酸アミドプロピルベタインなどが挙げられる。
上記グリシン型両性界面活性の例としては、アルキルアミノエチルグリシン、アルキルジアミノエチルグリシン、ジアルキルジアミノエチルグリシンなどが挙げられる。上記アルキル基の炭素数は、特に限定されないが、８以上１６以下であることが好ましい。
【００３４】
本発明に関しアミノ酸型両性界面活性剤としては、アルキルアミノプロピオン酸、アルキルアミノジプロピオン酸などのアミノプロピオン酸型両性界面活性剤などが挙げられる。上記アルキル基の炭素数は、特に限定されないが、８以上１８以下であることが好ましく、より具体的には、ラウリルアミノジプロピオン酸ナトリウムまたはオレイルアミノジプロピオン酸ナトリウムなどが挙げられる。
【００３５】
本発明に関し、アミンオキシド型両性界面活性剤としては、アルキルジメチルアミンオキシド等が挙げられる。
【００３６】
より好ましい泡持ちおよびすすぎ性を示す液体洗浄剤組成物を提供するという観点からは、上述に記載する（Ｃ）成分として、ポリオキシエチレンアルキルエーテルなどのポリオキシアルキレンアルキルエーテル、アルキルグルコシド、アルキルベタイン型両性界面活性剤、アルキルイミダゾリニウムベタイン型両性界面活性剤、アミノプロピオン酸型両性界面活性剤、およびアルキルジメチルアミンオキシドより選ばれた少なくとも一種を含有することが好ましく、中でも、（Ｃ）成分として、アルキルポリグルコシドを含むアルキルグルコシド、アルキルベタイン型両性界面活性剤、アルキルイミダゾリニウムベタイン型両性界面活性剤の少なくとも一種を含有することがより好ましい。
また、ウイルス不活化効果の観点から、（Ｃ）成分として、アルキルポリグルコシドを含むアルキルグルコシド、アルキルジメチルアミンオキシドのいずれかを少なくとも含有することが好ましい。
【００３７】
（Ｃ）成分である非イオン界面活性剤または両性界面活性剤の含有量は、本発明の趣旨を逸脱しない範囲において適宜決定することができる。良好な泡立ちの液体洗浄剤組成物を提供するという観点からは、（Ｃ）成分の洗浄剤組成物中の割合は、０．１質量％以上であることが好ましく、０．３質量％以上であることがより好ましく、０．８質量％以上であることが特に好ましい。
また、貯蔵安定性に優れ、よりすすぎ性の良好な液体洗浄剤組成物を提供するという観点からは、（Ｃ）成分の洗浄剤組成物中の割合は、８．０質量％以下であることが好ましく、５．０質量％以下であることがより好ましく、４．０質量％以下であることが特に好ましい。
【００３８】
本発明の液体洗浄剤組成物は、（Ｄ）成分として水を含む。上記（Ｄ）成分の水としては、特に限定はなく、イオン交換水、軟水、純水、水道水などが挙げられる。
【００３９】
本発明の液体洗浄剤組成物は、上記（Ａ）成分、（Ｂ）成分、（Ｃ）成分、（Ｄ）成分の他に、（Ｅ）成分として多価アルコールを含んでもよい。（Ｅ）成分を含むことで、液体洗浄剤組成物の皮膚刺激性をより低下させることが可能である。たとえば、より高い洗浄性を発揮させるために、（Ａ）成分を比較的多く配合し、あるいは所定範囲の中でｐＨを高めに調整した場合であっても、（Ｅ）成分を含有させることで、皮膚刺激性を抑制することができる。
上記（Ｅ）成分としては、エチレングリコール、ジエチレングリコール、トリエチレングリコール、ポリエチレングリコール、プロピレングリコール、ジプロピレングリコール、トリプロピレングリコール、ポリプロピレングリコール、１，３−ブチレングリコール、１，４−ブタンジオール、１，５−ペンタンジオール、ヘキシレングリコール、グリセリン、ポリグリセリン、ソルビトール等などが挙げられ、中でも、エチレングリコール、ポリエチレングリコール、プロピレングリコール、ブチレングリコール、１，５−ペンタンジオール、ヘキシレングリコール、グリセリン、ソルビトールが好ましく、特にグリセリンが好ましい。
【００４０】
（Ｅ）成分を配合する場合、（Ｅ）成分の配合量は、液体洗浄剤組成物の各成分の配合を勘案しつつ適宜決定することができる。より確実に皮膚刺激性の抑制効果を発揮させるという観点からは、（Ｅ）成分の液体洗浄剤組成物中の割合は、０．１質量％以上であることが好ましく、０．５質量％以上であることがより好ましく、１質量％以上であることが特に好ましい。（Ｅ）成分が１質量％以上配合された場合には、（Ａ）成分が０．４質量％を超えて、さらには０．７質量％以上の割合で配合された場合であっても、当該（Ａ）成分に起因する皮膚刺激性の影響を緩和しうる。
また、（Ｅ）成分の配合量に対する皮膚刺激性の低下効果の程度を勘案した場合、（Ｅ）成分の洗浄剤組成物中の割合は、１５．０質量％を超えて配合された場合であっても、皮膚刺激性の低下効果の程度に変化がなく、１０．０質量％以下で十分に皮膚刺激性の低下効果を発揮可能であり、コストパフォーマンスを考慮すると７．０質量％以下とすることが好ましい。
【００４１】
良好な殺菌性およびウイルス不活化効果を発揮させつつも、皮膚刺激性を抑制する観点からは、（Ａ）成分と（Ｅ）成分の質量比を調整することが好ましい。具体的には、より好ましい洗浄性、殺菌性、またはウイルス不活化効果を発揮させるという観点からは、（Ａ）成分と（Ｅ）成分の質量比は、（Ａ）／（Ｅ）の値で０．００１以上であることが好ましく、０．００５以上であることがより好ましく、０．０２以上であることがさらに好ましい。また、十分に皮膚刺激性を低減させ、また良好な貯蔵安定性を保持するという観点からは、上記（Ａ）／（Ｅ）は、５０以下であることが好ましく、１０以下であることが好ましく、１以下であることがより好ましい。
【００４２】
本発明の液体洗浄剤組成物は、本発明の効果が損なわれない範囲で、必要に応じて当該技術分野で通常使用される他の成分を含有していてもよい。このような成分としては、例えば、カプリル酸、カプリン酸、ラウリン酸、ミリスチン酸、パルミチン酸、ステアリン酸、オレイン酸、ベヘニン酸、ヤシ脂肪酸又はこれらの塩等の脂肪酸、ベンゾトリアゾール、トリルトリアゾール、ベンゾチアゾール、１−ヒドロキシエチリデン−１，１−ジホスホン酸、２−ホスホノブタン−１，２，４−トリカルボン酸、アミノトリメチレンホスホン酸等の金属腐食防止剤、エタノール、イソプロパノール、フェノキシエタノール等のアルコール系溶剤、ジエチレングリコールモノブチルエーテル、ジプロピレングリコールモノブチルエーテル等のグリコールエーテル系溶剤、エチレンジアミン四酢酸、ジエチレントリアミノ五酢酸、トリエチレンテトラアミン六酢酸、メチルグリシン二酢酸、グルタミン酸二酢酸又はこれらの塩等のキレート剤、イソプロピルメチルフェノール、トリクロサン、トリクロカルバン等の殺菌剤、キサンタンガム等の増粘剤、塩化ナトリウム等の無機電解質、香料、色素等が挙げられる。上記成分のうち、脂肪酸は泡持ちやすすぎ性の点で、アルコール系溶剤は殺菌性の点で、グリコールエーテル系溶剤は貯蔵安定性の点で、増粘剤や無機電解質は泡持ちの点で好ましく配合される場合がある。上記アルコール系溶剤を、皮膚刺激性を抑えつつ殺菌性向上させるという観点で、液体洗浄剤組成物に含有させる場合には、アルコール系溶剤は、たとえば０．０１質量％以上１．０質量％以下の範囲で含まれることが好ましく、０．０５質量％以上０．８質量％以下の範囲で含まれることがより好ましく、０．１質量％以上０．６質量％以下の範囲で含まれることがさらに好ましい。
【実施例】
【００４３】
以下、本発明を実施例と比較例により具体的に説明する。実施例、比較例の液体洗浄剤組成物において配合に用いた各成分を下記表１〜８に示す。尚、下記表１〜８に示す配合量に関する数値は、液体洗浄剤組成物に対する各成分の純分の割合（質量％）である。
また各実施例および各比較例である液体洗浄剤組成物は、２５℃におけるｐＨを測定するとともに後述する種々の評価を行った。その結果は、表１〜８に示す。
【００４４】
（Ａ）成分
Ａ−１：アルキル（Ｃ１２〜１６）ジメチルベンジルアンモニウムクロライド
Ａ−２：塩化ベンゼトニウム
Ａ−３：ヘキサデシルトリメチルアンモニウムクロライド
Ａ−４：アルキル（Ｃ１６〜１８）トリメチルアンモニウムクロライド
Ａ−５：塩化セチルピリジニウム
尚、上記（Ａ）成分であるＡ−１は、炭素数１２〜１６のアルキル基を有するアルキルジメチルアンモニウムクロライドの混合物であり、Ａ−４は、炭素数１６〜１８のアルキル基を有するアルキルトリメチルアンモニウムクロライドの混合物である。
【００４５】
（Ｂ）成分
Ｂ−１：水酸化カリウム
Ｂ−２：モノエタノールアミン
Ｂ−３：炭酸水素ナトリウム
Ｂ−４：リン酸水素二ナトリウム
Ｂ−５：クエン酸三ナトリウム
Ｂ−６：炭酸ナトリウム
Ｂ−７：リン酸二水素ナトリウム
【００４６】
（Ｃ）成分
Ｃ−１：ラウリルグルコシド
Ｃ−２：ラウリルアミドプロピルジメチルアミノ酢酸ベタイン
Ｃ−３：ラウリルアミノジプロピオン酸ナトリウム
Ｃ−４：２−アルキル−Ｎ−カルボキシエチル−Ｎ−ヒドロキシエチルイミダゾリニウムベタイン
Ｃ−５： ポリオキシエチレンアルキルエーテル（炭素数１２の直鎖炭化水素基を有し、オキシエチレン基の平均付加モル数＝７である。）
Ｃ−６：ラウリルジメチルアミンオキシド
【００４７】
（Ｄ）成分
Ｄ−１：イオン交換水
【００４８】
（Ｅ）成分
Ｅ−１：グリセリン 
Ｅ−２：プロピレングリコール
Ｅ−３：ポリエチレングリコール（重量平均分子量４００）
【００４９】
その他成分
Ｆ−１：エチレンジアミン四酢酸二ナトリウム
Ｆ−２：塩化ナトリウム
Ｆ−３：エタノール
Ｆ−４：フェノキシエタノール
【００５０】
※１：洗浄性試験
＜試験方法＞
本試験は、拭き取り試験具（ルシパック（登録商標）ＰＥＮ；キッコーマン株式会社製）を用いて、取扱説明書に則り、事務作業及び現場作業を行うパネラー１０名を対象に、１日１回終業後に行った。試験は、１日に一種の液体洗浄剤組成物を用いた。
まず上記ルシパックＰＥＮの本体にセットされた綿棒を引き抜き、手洗い前に各パネラーの両手を当該綿棒で拭き取り、これを拭き取りサンプルとした。上記拭き取りサンプルを、上記ルシパックＰＥＮ本体に戻し、ルシパックＰＥＮ先端に設けられた測定チューブ内にて発光試薬に十分に浸漬させた。その後、発光量測定装置（ルミテスター（登録商標）ＰＤ−３０；キッコーマン株式会社製）を用い、上記ルミテスターＰＤ−３０の測定室にルシパックＰＥＮを挿入し、手洗い前のＡＴＰ発光量（ＲＬＵ０）を測定した。
上記拭き取りサンプルを作製した後、各パネラーは、液体洗浄剤組成物１ｍＬを手に取り、３０秒間手洗いをした後に水道水で３０秒間すすぎ、十分に水を切り、手洗いを終了した。
そして手洗い後に、上記と同様の方法で各パネラーの手洗い後のＡＴＰ発光量（ＲＬＵ１）を測定した。手洗い前のＡＴＰ発光量（ＲＬＵ０）と手洗い後のＡＴＰ発光量（ＲＬＵ１）の測定値を用い、下記（式１）により手洗いによる洗浄率を算出し、パネラー１０名の洗浄率の平均値を求め、後述する評価基準で洗浄性を評価した。
（式１）
洗浄率（％）＝１００−ＲＬＵ１／ＲＬＵ０×１００・・・・・（１）
【００５１】
＜評価基準＞
◎：洗浄率が９０％以上。
○：洗浄率が７５％以上、９０％未満。
△：洗浄率が６０％以上、７５％未満。
×：洗浄率が６０未満。
とし、△、○、◎を実用性のあるものとして判定した。
【００５２】
※２：一般細菌に対する殺菌力試験
＜供試菌＞
供試菌として、大腸菌（Ｅｓｃｈｅｒｉｃｈｉａ ｃｏｌｉ ＮＢＲＣ３９７２）及び黄色ブドウ球菌（Ｓｔａｐｈｙｌｏｃｏｃｃｕｓ ａｕｒｅｕｓ ＮＢＲＣ１２７３２）を用いた。各供試菌はＳＣＤ寒天培地（栄研化学株式会社製）に塗抹し、３７℃で２４時間培養後、コロニーを掻き取り、それぞれ滅菌リン酸緩衝生理食塩水に希釈したものを菌懸濁液として用いた。
【００５３】
＜試験方法＞
各液体洗浄剤組成物１０ｍＬに、終濃度１．５〜５．０×１０８（ＣＦＵ／ｍＬ）となるように各菌懸濁液０．１ｍＬを添加し、２５℃にて１５秒間接触させた後、滅菌中和溶液（ＳＣＤＬＰ培地、栄研化学株式会社製）を加えよく攪拌し、試験液とした。この試験液１ｍＬをＳＣＤ寒天培地にて混和固化後、３７℃で２日間培養した。培養後、生菌数を測定し、初発菌数との差より対数減少値（Ｌｏｇ  ｒｅｄｕｃｔｉｏｎ  ｖａｌｕｅ）を求め、以下の基準で殺菌力を評価した。
【００５４】
＜評価基準＞
◎：供試菌の対数減少値が５以上。
○：供試菌の対数減少値が３以上、５未満。
△：供試菌の対数減少値が１以上、３未満。
×：供試菌の対数減少値が１未満。
とし、△、○、◎を実用性のあるものとして判定した。
【００５５】
※３：カチオン耐性菌に対する殺菌力試験
＜供試菌＞
供試菌として、陽イオン界面活性剤に抵抗性を示すセラチアマルセッセンス（Ｓｅｒａｔｉａ  ｍａｒｃｅｓｃｅｎｓ）（現場分離菌）を用いた。セラチアマルセッセンスは陽イオン界面活性剤を含有したＳＣＤ寒天培地に塗抹し、３０℃で２４時間間培養後、コロニーを掻き取り、滅菌リン酸緩衝生理食塩水に希釈したものを菌懸濁液として用いた。
【００５６】
＜試験方法＞
汚れとして酵母エキスを０．１質量％含有した各液体洗浄剤組成物１０ｍＬに、終濃度１．５〜５．０×１０８（ＣＦＵ／ｍＬ）となるように上記菌懸濁液０．１ｍＬを添加し、２５℃にて１分間接触させた後、滅菌中和溶液（ＳＣＤＬＰ培地：栄研化学株式会社製）を加えよく攪拌し、試験液とした。この試験液１ｍＬをＳＣＤ寒天培地にて混和固化後、３０℃で２日間培養した。培養後、生菌数を測定し、初発菌数との差より対数減少値（Ｌｏｇ  ｒｅｄｕｃｔｉｏｎ  ｖａｌｕｅ）を求め、以下の基準で殺菌力を評価した。
【００５７】
＜評価基準＞
◎：供試菌の対数減少値が５以上。
○：供試菌の対数減少値が３以上、５未満。
△：供試菌の対数減少値が１以上、３未満。
×：供試菌の対数減少値が１未満。
とし、△、○、◎を実用性のあるものとして判定した。
【００５８】
※４：ネコカリシウイルス不活化試験
＜試験方法＞
試験管に０．９ｍＬの各液体洗浄剤組成物と、１０８ＴＣＩＤ５０／ｍＬとなるように調整したネコカリシウイルス液（ＦＣＶ  Ｆ９株）０．１ｍＬを加えてウイルス試験液（ウイルス試験液１）を調製し、ミキサーで混合し、２５℃で３０秒間作用させた。
また、有機汚れを想定し、試験管に０．９ｍＬの各液体洗浄剤組成物と、１０８ＴＣＩＤ５０／ｍＬとなるように調整した０．５％肉エキス（ナカライテスク社製）含有ネコカリシウイルス液（ＦＣＶ  Ｆ９株）０．１ｍＬを加えて有機汚れ含有ウイルス試験液（ウイルス試験液２）を調製し、ミキサーで混合し、２５℃で３０秒間作用させた。
そして上述のとおり３０秒間反応させた後、ウイルス試験液１、２を、２％牛胎児血清（ＦＢＳ）を添加したＤｕｌｂｅｃｃｏ‘ｓ  ｍｏｄｉｆｉｅｄ  Ｅａｇｌｅ’ｓ  Ｍｅｄｉｕｍ（ＤＭＥＭ）で７倍希釈し、反応を停止させた。反応が停止した停止液をＤＭＥＭ培地で７倍段階希釈し、各希釈液をネコ腎臓細胞（ＣＲＦＫ）に接種し、１％ＦＢＳ加ＤＭＥＭ培地において、３７℃、ＣＯ２インキュベーター内で４日間培養した。培養後、細胞変性効果を観察し、ウイルス感染価（ＴＣＩＤ５０／ｍＬ）を求めた。対照の初期感染価と試験品作用後の感染価から、ウイルス感染価対数減少値（ウイルス感染価Ｌｏｇ  ｒｅｄｕｃｔｉｏｎ  ｖａｌｕｅ）を算出し、以下の基準でウイルス不活化効果を評価した。
【００５９】
＜評価基準＞
◎：ウイルス感染価の対数減少値が４以上の減少。
○：ウイルス感染価の対数減少値が３以上、４未満の減少。
△：ウイルス感染価の対数減少値が２以上、３未満の減少。
×：ウイルス感染価の対数減少値が２未満の減少。
とし、△、○、◎を実用性のあるものとして判定した。
【００６０】
※５：泡持ち試験
＜試験方法＞
本試験はロス・マイルス法（ＪＩＳ  Ｋ  ３３６２）により、各液体洗浄剤組成物を２５℃で発泡させて、測定開始時と５分後の泡高を測定した。測定開始時の泡高（Ｆ０）に対する５分後の泡高（Ｆ１）より、下記（式２）により泡保持率を算出し、以下の基準で泡持ちを評価した。尚、液体洗浄剤組成物の発泡には、市販のフォームポンプを用いた。
（式２）
泡保持率（％）＝Ｆ１／Ｆ０×１００・・・・・（２）
【００６１】
＜評価基準＞
〇：泡保持率が９０％以上。
△：泡保持率が８０％以上、９０％未満。
×：泡保持率が８０％未満、もしくは十分な泡立ちが得られない。
とし、△、○を実用性のあるものとして判定した。
【００６２】
※６：すすぎ性試験
＜試験方法＞
本試験は、すすぎ性の評価についてトレーニングを受けたパネラー１０名を対象に行った。各パネラーの手に市販のフォームポンプに入れた各液体洗浄剤組成物を１プッシュ（約１ｍＬ）取り、３０秒間手洗いをした後、３０秒間水道水ですすぎ、すすぎ時の速さ、すすぎ後の手のつっぱりの無さ等から以下の基準ですすぎ性を評価した。
【００６３】
＜評価基準＞
４点：すすぎ性が良い
３点：すすぎ性がやや良い
２点：すすぎ性がやや悪い
１点：すすぎ性が悪い
としてすすぎ性を点数で評価し平均値を求め、以下の基準ですすぎ性を評価した。
◎：平均値が３．４点以上。
〇：平均値が２．７点以上、３．４点未満。
△：平均値が２．０点以上、２．７点未満。
×：平均値が２．０点未満。
とし、△、○、◎を実用性のあるものとして判定した。
【００６４】
※７：皮膚刺激性試験
＜試験方法＞
本試験は、１実施例につきパネラー１０名を対象に行った。本試験のパネラーは、本試験中において他の実施例に記載された液体洗浄剤組成物の洗浄性試験、すすぎ性試験及び皮膚刺激性試験は行わなかった。各パネラーの手に液体洗浄剤組成物１ｍＬを手に取り、３０秒間手洗いをした後、３０秒間水道水ですすぐ手洗いの動作を１日３回、７日繰り返し行い、７日後の各パネラーの手の状態から以下の基準で皮膚刺激性を評価した。
【００６５】
＜評価基準＞
４点：手荒れが全く無い
３点：僅かに手荒れが見られる
２点：所々に手荒れが見られる
１点：かなり手荒れが見られる
としてすすぎ性を点数で評価し平均値を求め、以下の基準ですすぎ性を評価した。
◎：平均値が３．５点以上。
〇：平均値が３．０点以上、３．５点未満。
△：平均値が２．５点以上、３．０点未満。
×：平均値が２．５点未満。
とし、△、○、◎を実用性のあるものとして判定した。
【００６６】
※８：貯蔵安定性試験
＜試験方法＞
【００６７】
２５０ｍｌ透明ポリプロピレン製容器に各液体洗浄剤組成物を２００ｍｌとり、蓋をして−５℃、２５℃、４０℃の恒温槽に保管し静置した。１ヶ月後、外観を観察し以下の基準で貯蔵安定性を評価した。
【００６８】
＜評価基準＞
○：析出物や濁りが見られず安定である。
△：析出物や濁りが、若干見られる。
×：析出物又は濁りが見られる。
とし、△、○を実用性のあるものとして判定した。
【００６９】
※９：メチシリン耐性黄色ブドウ球菌（ＭＲＳＡ）に対する殺菌力試験
＜供試菌＞
供試菌として、メチシリン耐性黄色ブドウ球菌（ｍｅｔｈｉｃｉｌｌｉｎ―ｒｅｓｉｓｔａｎｔ  Ｓｔａｐｈｙｌｏｃｏｃｃｕｓ  ａｕｒｅｕｓ  ＡＴＣＣ４３３３０）を用いた。各供試菌はＳＣＤ寒天培地（栄研化学株式会社製）に塗抹し、３７℃で２４時間培養後、コロニーを掻き取り、それぞれ滅菌リン酸緩衝生理食塩水に希釈したものを菌懸濁液として用いた。
【００７０】
＜試験方法＞
各液体洗浄剤組成物１０ｍＬに、終濃度１．５〜５．０×１０８（ＣＦＵ／ｍＬ）となるように各菌懸濁液０．１ｍＬを添加し、２５℃にて１５秒間接触させた後、滅菌中和溶液（ＳＣＤＬＰ培地、栄研化学株式会社製）を加えよく攪拌し、試験液とした。この試験液１ｍＬをＳＣＤ寒天培地にて混和固化後、３７℃で２日間培養した。培養後、生菌数を測定し、初発菌数との差より対数減少値（Ｌｏｇ  ｒｅｄｕｃｔｉｏｎ  ｖａｌｕｅ）を求め、以下の基準で殺菌力を評価した。
【００７１】
＜評価基準＞
◎：供試菌の対数減少値が５以上。
○：供試菌の対数減少値が３以上、５未満。
△：供試菌の対数減少値が１以上、３未満。
×：供試菌の対数減少値が１未満。
とし、△、○、◎を実用性のあるものとして判定した。
【００７２】
※１０：インフルエンザウイルス不活化試験
＜試験方法＞
試験管に０．９ｍＬの各液体洗浄剤組成物と、１０８ＴＣＩＤ５０／ｍＬとなるように調整したインフルエンザウイルス液（Ｉｎｆｌｕｅｎｚａ  Ａ  ｖｉｒｕｓ  （Ｈ３Ｎ２）  ＡＴＣＣ  ＶＲ−１６７９）０．１ｍＬを加えてウイルス試験液（ウイルス試験液１）を調製し、ミキサーで混合し、２５℃で３０秒作用させた。作用後ウイルス試験液を０．１ｍＬ採取し、９．９ｍＬの作用停止液（２％チオ硫酸ナトリウム、０．２％レシチン及び１．５％ポリソルベート８０を含む細胞増殖液）に添加して１００倍希釈後、ウイルスに対する反応を停止させた。これをウイルス感染価測定用試料原液として感染価の測定に用いた。同様に、リン酸緩衝生理食塩水（ｐｈｏｓｐｈａｔｅ  ｂｕｆｆｅｒｒｅｄ  ｓａｌｉｎｅ、以下、ＰＢＳと略すことがある）を用いた試験を実施し、コントロールとした。リン酸緩衝生理食塩水は、塩化ナトリウム８ｇ、塩化カリウム０．２ｇ、リン酸水素二ナトリウム１．４４ｇ、リン酸二水素カリウム０．２４ｇの４種類の塩を混合し、超純水で９００ｍＬに溶解後、塩酸でｐＨを７．４に調整し、１Ｌにメスアップ後、オートクレーブにより滅菌した。
ウイルス感染価測定用試料原液をＰＢＳで１０倍段階希釈した後、感染価測定用試料原液及び希釈ウイルス液５０μＬとウシ胎仔血清（ＦＢＳ）を５％添加したＤｕｌｂｅｃｃｏ‘ｓ  ｍｏｄｉｆｉｅｄ  Ｅａｇｌｅ’ｓ  Ｍｅｄｉｕｍ（ＤＭＥＭ）に懸濁した細胞を９６ウェルプレートに植え込んだ。その後、炭酸ガスふ卵器において３７℃、５％ＣＯ２の条件で４日間培養した。培養後、細胞変性効果を観察し、ウイルス感染価（ＴＣＩＤ５０／ｍＬ）を求めた。対照の初期感染価と試験品作用後の感染価から、ウイルス感染価対数減少値（ウイルス感染価Ｌｏｇ  ｒｅｄｕｃｔｉｏｎ  ｖａｌｕｅ）を算出し、以下の基準でウイルス不活化効果を評価した。
【００７３】
＜評価基準＞
◎：ウイルス感染価の対数減少値が４以上の減少。
○：ウイルス感染価の対数減少値が３以上、４未満の減少。
△：ウイルス感染価の対数減少値が２以上、３未満の減少。
×：ウイルス感染価の対数減少値が２未満の減少。
とし、△、○、◎を実用性のあるものとして判定した。
【００７４】
【表１】
0006860734.tif 000002
【００７５】
【表２】
0006860734.tif 000003
【００７６】
【表３】
0006860734.tif 000004
【００７７】
【表４】
0006860734.tif 000005
【００７８】
【表５】
0006860734.tif 000006
【００７９】
【表６】
0006860734.tif 000007
【００８０】
【表７】
0006860734.tif 000008
【００８１】
【表８】
0006860734.tif 000009
【００８２】
上記実施形態は、以下の技術思想を包含するものである。
（１）（Ａ）成分として第四級アンモニウム塩型界面活性剤、
（Ｂ）成分としてｐＨ調整剤、
（Ｃ）成分として非イオン界面活性剤、両性界面活性剤より選ばれた少なくとも一種、
（Ｄ）成分として水、
を含有し、（Ａ）成分と（Ｂ）成分の質量比が、（Ａ）／（Ｂ）の値で０．００２以上、１００以下であり、２５℃におけるｐＨが８．１以上、１２．０以下であることを特徴とする液体洗浄剤組成物。
（２）（Ａ）成分が、アルキルジメチルベンジルアンモニウム塩と、アルキルトリメチルアンモニウム塩、アルキルピリジニウム塩、ベンゼトニウム塩より選ばれた少なくとも１種と、を含有することを特徴とする上記（１）に記載の液体洗浄剤組成物。
（３）（Ｃ）成分が、ポリオキシアルキレンアルキルエーテル、アルキルポリグルコシドを含むアルキルグルコシド、アルキルベタイン型両性界面活性剤、アルキルイミダゾリニウムベタイン型両性界面活性剤、アミノプロピオン酸型両性界面活性剤、アルキルジメチルアミンオキシドより選ばれた少なくとも一種を含有する上記（１）又は（２）に記載の液体洗浄剤組成物。
（４）（Ｃ）成分として、上記アルキルグルコシド、上記アルキルジメチルアミンオキシドのいずれかを少なくとも含有する上記（３）に記載の液体洗浄剤組成物。
（５）さらに（Ｅ）成分として多価アルコールを含有する上記（１）から（４）のいずれか一項に記載の液体洗浄剤組成物。
（６）（Ａ）成分と（Ｅ）成分の質量比が、（Ａ）／（Ｅ）の値で０．００１以上、５０以下であることを特徴とする上記（５）に記載の液体洗浄剤組成物。
（７）組成物の２５℃におけるｐＨが８．１以上、１１未満であることを特徴とする上記（１）から（６）のいずれか一項に記載の液体洗浄剤組成物。
（８）前記洗浄剤組成物が、皮膚用液体洗浄剤である上記（１）から（７）のいずれか一項に記載の液体洗浄剤組成物。
（９）前記洗浄剤組成物が、アルコール系溶剤を含む上記（１）から（８）のいずれか一項に記載の液体洗浄剤組成物。